(57)【特許請求の範囲】
【請求項１】
装着部位をまたぐように設けた一対の係止穴に夫々挿入係止する係止部をユニット両側に有し、前記ユニット上面にコネクタを有するユニットの着脱構造であって、
前記係止部は、ユニット両側の下部から下方に向けて突出してＶ字状に外側に折り返された弾性を有する突片とその突片の外側面に設けた係止突起とから成り、前記折り返した先端同士は、ユニット側方へ傾倒可能な連結部材によりユニット上方で連結されていて、前記ユニットは、前記係止穴に対し前記係止部を押圧挿入することで係止固定され、前記連結部材を上方へ引っ張って折り返し部を内方へ寄せることによって抜き取り可能とするユニットの着脱構造。
【請求項２】
装着部位をまたぐように設けた一対の係止穴に夫々挿入係止する係止部をユニット両側に有し、前記ユニットの上面にコネクタを有するユニットの着脱構造であって、
前記係止部は、ユニット両側の下部から下方に向けて突出してＶ字状に外側に折り返された弾性を有する突片とその突片の外側面に設けた係止突起とから成り、前記折り返した先端同士は、ユニット上方で連結部材で連結され、前記連結部材は復元力を有する帯状部材から成ると共に前記コネクタに当接する部位にコネクタを挿通する挿通孔を有し、前記ユニットは、前記係止穴に対し前記係止部を押圧挿入することで係止固定され、前記連結部材の中央を引っ張って折り返し部を内方へ寄せることによって抜き取り可能とするユニットの着脱構造。
【発明の詳細な説明】
【０００１】
【発明の属する技術分野】
本発明は装着、取り外しを容易に行えるユニットの着脱構造であって、特にＣＡＴＶ等の分岐器，分配器，増幅器等で使用される各種ユニットに好適なユニットの着脱構造に属する。
【０００２】
【従来の技術】
ＣＡＴＶは通常幹線ケーブルを設け、この幹線ケーブルから各加入者へ分岐器，分配器を経て家庭へ引き込まれている。この分岐器，分配器は信号方向や分岐，分配出力数を適宜変更可能とするために通常着脱可能なユニットが内部で使われている。
また、ＣＡＴＶの伝送ケーブルは常にテレビ信号が流れ、分岐器，分配器はケーブルの設置されている高所へ配設されているため高所で且つ上向きの作業となることが多い。そのため、ユニットは素早くそして簡単に着脱ができ、更にユニットにより接続されるプラグやレセプタクル等の接栓座をその際いためないことが要求される。
【０００３】
【発明が解決しようとする課題】
従来のこのようなユニットの構造は、図６に示すように両側に係止用爪部２５を有するもので、着脱は可能であるものの、ユニット取り外しはユニット両側の係止用爪部２５を先端に有する舌片２６を強く内側へ押し、爪部２５を内側に寄せ係止作用を解除する必要があり、このとき周辺の搭載素子等がユニット舌片部を掴むのを妨げ取り外しを難しくしたり、また抜き取る際、両側の爪部２５が同時に外れず、どちらかが先に外れることでユニットが傾き、接続されているプラグ等の接栓座を傷めることがあった。
本発明は、このような点を考慮し、ユニットを取り外す際に、接栓座を痛めないようにすると共に、ユニットを狭いところでも容易に着脱できることを課題とする。
【０００４】
【課題を解決するための手段】
上記の課題を解決するために、請求項１に係る発明は、装着部位をまたぐように設けた一対の係止穴に夫々挿入係止する係止部をユニット両側に有し、前記ユニット上面にコネクタを有するユニットの着脱構造であって、前記係止部は、ユニット両側の下部から下方に向けて突出してＶ字状に外側に折り返された弾性を有する突片とその突片の外側面に設けた係止突起とから成り、前記折り返した先端同士は、ユニット側方へ傾倒可能な連結部材によりユニット上方で連結されていて、前記ユニットは、前記係止穴に対し前記係止部を押圧挿入することで係止固定され、前記連結部材を上方へ引っ張って折り返し部を内方へ寄せることによって抜き取り可能とするよう構成される。
【０００５】
請求項２に係る発明は、装着部位をまたぐように設けた一対の係止穴に夫々挿入係止する係止部をユニット両側に有し、前記油ユニットの上面にコネクタを有するユニットの着脱構造であって、前記係止部は、ユニット両側の下部から下方に向けて突出してＶ字状に外側に折り返された弾性を有する突片とその突片の外側面に設けた係止突起とから成り、前記折り返した先端同士は、ユニット上方で連結部材で連結され、前記連結部材は復元力を有する帯状部材から成ると共に前記コネクタに当接する部位にコネクタを挿通する挿通孔を有し、前記ユニットは、前記係止穴に対し前記係止部を押圧挿入することで係止固定され、前記連結部材の中央を引っ張って折り返し部を内方へ寄せることによって抜き取り可能とするよう構成される。
【０００６】
【発明の実施の形態】
本発明に係るユニットの着脱構造の１実施形態を、ＣＡＴＶの伝送ケーブルから各家庭に引き込む為の分岐器中に取り付ける分岐ユニットに適用した場合について図面を基に説明する。
図１はユニットの装着を示す分岐器の分解斜視図であり、図２はユニットの拡大斜視図である。図において１は幹線から信号を分岐するための分岐ユニットであり、１０はそのユニット１を装着するマザーボード、２０は幹線ケーブルの接続部を有する分岐器の蓋体であり、３０は分岐器の本体である。
【０００７】
蓋体２０のケーブルの接続部２１，２２，２３はいずれか２個が使われ、接続位置，信号の方向に合わせた向きでマザーボード１０，ユニット１を装着するようになっている。
マザーボード１０は幹線との接続部を裏面に有し、上記したように使用するケーブル接続部に合せて、向きを換え設置されるもので、中央に信号を分岐ユニット１へ分岐するための中継端子１１，１１を有し、その双方の外側に分岐ユニット１の係止部を挿入係止する係止穴１２，１２が穿設されている。また、電流通過回路１５、高周波通過回路１４，１４等が組付けられている。
そして、分岐ユニット１は信号の向きに合せ、マザーボード１０に差し込まれ装着される。
【０００８】
本体３０は、内側にタップボード３３が取り付けられ、その中央には分岐ユニット１の分岐端子６と接続される入力端子３１を有している。タップボード３３の反対面は分配回路が形成され、図３の分岐器の断面説明図に示す本体３０の表面に突出形成された複数の分配端子３２に接続されている。
そして、図３にに示すように、ユニット１を上方に向けて差し込み装着した蓋体２０を本体３０と結合させることで、分岐ユニット１の分岐端子６は本体の入力端子３１と連結される。
【０００９】
分岐ユニット１は上述したように使用されるもので、その構成は下面が開放された四角形状の箱体１ａ内に分岐回路が形成された基板５を有し、マザーボード１０上の２つの中継端子１１に対応した２つの接続端子４が基板上に設けられ、箱体１ａの装着面である下面に向け設置されている。ユニット上面には分岐端子６が設けられ、それら接続端子４と分岐端子６は前記分岐回路に接続されている。また、接続端子４は一方が入力用接続端子４ａ、他方が出力用接続端子４ｂに設定され、接続端子４ａ，４ｂの外側の両側面には箱体１ａを着脱可能にする係止部８を有している。
係止部８は、箱体１ａの両側下部から下方に向け突出形成され途中Ｖ字状に外側に折り返された左右対称な帯状の突片２，２と突片２下部の外側面に設けた係止突起９，９からなり、折返された突片２の夫々の先端２ａは箱体１ａの上面あたりの高さまで伸びている。
【００１０】
両側の突片２の先端部２ａは連結片２ｂ同士が連結紐３で連結され、突片２はＶ字状に形成することで適度な弾性を有し、連結紐３の中央をユニット装着面上方へ引くことで箱体１ａ側に曲るようになっている。この突片２は合成樹脂製で箱体１ａと一体成形され、例えばＡＢＳ樹脂やポリエチレンで成形されて成る。連結紐３の連結片２ｂとの連結部は、連結片２ｂを挿通する透孔３ａと回転用の軸穴３ｂよりなり、連結紐３の装着が容易で、また連結後は回転し易いようになっている。
【００１１】
次に、分岐ユニット１の装着、取り外し方法を説明する。図４は着脱の操作を説明する図で、（ａ）はユニット装着を示す。図のように突片２の無い側面同士を掴みユニット１の係止部８である２つの突片２の下端部をマザーボード１０の装着位置に穿設されている係止穴１２に挿入し、係止突起９により係止させ固定する。この係止突起９は断面三角形で容易に挿入できるが係止後は外れ難い形状となっている。
また、素子が密接している場合は、係止部８を各々の係止穴１２に当接した後、ユニット１上面を押すことで挿入係止される。この時、係止部８を係止穴１２に合せることで接続端子４ａ，４ｂと中継端子１１，１１は一致し無理なく接続することができる。
（ｂ）は分岐ユニット１をマザーボード１０に装着した状態を示す。双方の係止穴１２は対応する夫々の突片２の係止位置の断面よりわずかに外側を狭くしてあり、突片２は外側より押圧された状態で固定され、係止突起９が確実に係止作用するようになっている。尚、装着後は、上部分岐端子６を本体３０の入力端子３１と接続し易いように連結紐３を横に倒して使用する。
（ｃ）はユニットの取り外し方法を示す図で、装着と異なり連結紐３の中央部を装着面上方に引っ張り、引き抜くように操作する。引っ張ることで双方の突片先端部２ａは内側に曲り、連結紐３の中央部を操作することで力は双方の突片２に等しく分配され、ほぼ同時に係止突起９の係止が外れ、ユニット１を取り外すことができる。
（ｄ）は抜き取り後の状態を示し、両方の係止作用はほぼ同時に解除され突片２は元の形状に復帰する。
【００１２】
このように、連結紐３により操作することで、取り外しの際に片方のみ外れてユニット１が傾いたりすることがない為、中継端子１１，接続端子４等の接栓座を傷めることがない。また、ユニット１に部品や素子が密接していてもユニットを掴むわけではないので、容易に取り外すことができるし、マザーボード１０や搭載部品に触れることがないので感電したり素子を傷めることがない。
【００１３】
図５は第２の実施形態を示し、連結紐１７中央部に分岐端子挿通孔１８を設け、ユニット１をマザーボード１０に装着後、連結紐１７を横に倒す事無く分岐端子６をタップボード３３の入力端子３１と接続可能としている。
この連結紐１７は復元力を有する合成樹脂を成形して成るもので、蓋体２０と本体３０を結合した際、連結紐１７はタップボード３３により、挿通孔１８から入力端子３１を挿通した状態で箱体１ａに押し付けられていても、本体３０を外しユニット１交換の際、連結紐１７は図中一点鎖線で示すように扱い易い元の形に復帰するようになっている。
この連結紐１７の材質としては、例えばポリプロピレンにより成形すると良いが、ポリエチレンやクロロプレンゴムであってもよく、また連結紐３の材質についても同様の材質であって良い。
【００１４】
このように、連結紐１７に分岐端子挿通孔１８を設けると、連結紐１７を倒す事無く端子同士を連結できるので、蓋体と本体を連結する際に連結紐が横に倒れているか確認する必要がないし、ユニットを取り外す際、倒れている連結紐を引き出す手間も必要なく上向きの作業であっても無理無く着脱操作できる。この場合連結紐は突片，箱体と一体成形としてもよく、ユニット全体がポリプロピレン製であっても良い。
【００１５】
尚、本発明のユニットの着脱構造は、ＣＡＴＶ分岐器の分岐ユニットについて説明したが、これに限定されるものではなく、本発明の趣旨を逸脱しない範囲で他の着脱可能を要求するユニット部においても適用するものである。また、突片，連結紐の材質は、上記した特定の合成樹脂に限定するものではなく、上述した性質を有する材質であれば良い。
【００１６】
【発明の効果】
以上詳述したように、本発明によれば両側の係止部をほぼ同時に外すことができるため、外す際ユニットが傾いたりすることが無く、接続端子、中継端子等の接栓座を傷めることが無い。また、ユニットの箱体を掴む事無くユニットの取り外しができる為、部品等が密接する位置にユニットが装着されていても容易に着脱することができるし、周辺の部品に触れたりすることがないので、感電したり、部品を傷めたりすることがない。
また、ユニット上部に信号伝送用コネクタが突出していても、連結紐を横に倒すことで、或いは連結紐に設けた挿通孔にコネクタを通すことで、コネクタの接続操作をすることができる。
【図面の簡単な説明】
【図１】本発明に係るユニットの着脱構造を分岐器の分岐ユニットに適用した１実施形態の斜視説明図である。
【図２】図１の分岐ユニットの拡大斜視図である。
【図３】図１の分岐器組立後のユニットの接続関係を示す説明断面図である。
【図４】図１のユニットの着脱方法を示す図で、（ａ）は装着方法を示し、（ｂ）は装着後の状態を示し、（ｃ）は取り外し方法を示し、（ｄ）は取り外したユニットの状態を示す。
【図５】ユニットの着脱構造の第２の実施形態を示す斜視図である。
【図６】従来のユニットの着脱構造を示す図である。
【符号の説明】
１・・ユニット、２・・突片、２ａ・・突片先端部、３，１７・・連結紐、４・・接続端子、４ａ・・入力用接続端子、４ｂ・・出力用接続端子、６・・分岐端子、８・・係止部、９・・係止突起、１１・・中継端子、１２・・係止穴、  １８・・挿通孔
【図１】
0003759785.tif 000002
【図２】
0003759785.tif 000003
【図３】
0003759785.tif 000004
【図４】
0003759785.tif 000005
【図５】
0003759785.tif 000006
【図６】
0003759785.tif 000007